(57)【要約】【課題】ケースについて、対象物に取り付けた状態では容易に殻の嵌合が解除されず、かつ対象物から取り外した状態では容易に殻の嵌合を解除可能とする。【解決手段】外向きに爪が張り出したフック、および、このフックの根元に隣接したホール２２，２４が両端に形成されている殻２、およびフックと係合するフック受け部が内側に形成され、ホール２２，２４に繋がるホールが形成されている殻３とが嵌合してケース１が構成される。殻２，３が嵌合してホールが連なり、ベルト４を通す貫通孔を形成する。【選択図】図１
2020118499.tif 000002
【特許請求の範囲】
【請求項１】
爪が張り出したフック、および、当該フックの根元に隣接した第１ホールが形成されている第１殻、および前記フックと係合するフック受け部が内側に形成された第２ホールが形成されている第２殻とが嵌合して構成されるケースであって、
前記第１殻と前記第２殻とが嵌合して前記第１ホールと前記第２ホールとが連なり、装着具を通す貫通孔を形成する、
ことを特徴とするケース。
【請求項２】
前記第１殻と前記第２殻とが嵌合した状態において、前記フックの爪は前記貫通孔の外側に突出している、
ことを特徴とする請求項１に記載のケース。
【請求項３】
前記貫通孔、前記フックおよび前記フック受け部は、前記ケースの中空部を挟んで対向する少なくとも２箇所に形成されている、
ことを特徴とする請求項１または２に記載のケース。
【請求項４】
複数の前記貫通孔のうち対向する一組は、前記第１殻または前記第２殻のうち何れか一方に近づくにつれて離間するように傾斜している、
ことを特徴とする請求項３に記載のケース。
【請求項５】
前記フックを除く前記第１殻と前記フック受け部を除く前記第２殻とは、嵌合面に対して対称である、
ことを特徴とする請求項１に記載のケース。
【請求項６】
前記装着具には穴が穿たれており、
前記第１殻または前記第２殻のうち少なくとも何れか一方には、前記装着具の穴に嵌合する突起が形成されている、
ことを特徴とする請求項１に記載のケース。
【請求項７】
前記第１殻と前記第２殻との嵌合状態を示す窓部が形成されている、
ことを特徴とする請求項１に記載のケース。
【発明の詳細な説明】
【技術分野】
【０００１】
本発明は、装着具によって被装着物に取り付けるケースに関する。
【背景技術】
【０００２】
近年のＩｏＴ（Internet Of Things）技術の進歩により、主に屋外の農場にて家畜に取り付けて２４時間可動させる電子機器が出現している。この電子機器の基本的な構成部品は、電子回路とそれを収めるケース、および当該ケースを家畜に取り付けるためのベルト（装着具）である。ケースは、家畜（被装着物）に取り付けた状態では、容易には開かないことが必要である。電子回路を水から保護するためである。またケースは、電子回路を駆動する電池を交換可能とするため、分解可能であることが必要である。
【０００３】
従来のケースは、ケースを構成する２個の殻（筐体）をネジによって強固に締結する構造である。そのため、屋外でネジを落下させた場合、そのネジの回収が困難である。また、ケースを締結したネジが錆びついて固着することや、サビが膨張することにより防水性が低下するおそれがある。更にネジ穴やネジ自体に泥や糞尿が入り込んで固着し、そのため工具が掛けられなくなるおそれがある。
【０００４】
そこで、ネジの代わりにフック機構により２個の殻を嵌め込んでケースを構成することが考えられる。特許文献１には、部品を係合させる時は小さな力でフックを掛けることができると共に、係合した後は外れにくい機構のフックに関する発明が記載されている。これを実現するため、特許文献１に記載の係合爪の外れ防止機構は、変形可能な第一のフックを有し、該フックにより部品同士を係合する機能を有している樹脂で形成された部品において、前記第一のフックの変形空間にあり、前記第一のフックの変形方向とは略直角方向に変形可能な第二のフックを有する。
【先行技術文献】
【特許文献】
【０００５】
【特許文献１】特開２００６−２１０５９３号公報
【発明の概要】
【発明が解決しようとする課題】
【０００６】
特許文献１に記載されている発明では、第２のフックが外圧を受けて破損した場合、第１のフックが第２のフック側への外圧を受けて係合が外れるおそれがある。また、第１のフックと第２のフックとの間に泥や糞尿などが入り込んで固着した場合、係合が外せなくなるおそれもある。
【０００７】
そこで、本発明は、ケースについて、対象物に取り付けた状態では容易に殻の嵌合が解除されず、かつ対象物から取り外した状態では容易に殻の嵌合を解除可能とすることを課題とする。
【課題を解決するための手段】
【０００８】
本発明のケースは、爪が張り出したフック、および、当該フックの根元に隣接した第１ホールが形成されている第１殻、および前記フックと係合するフック受け部が内側に形成された第２ホールが形成されている第２殻とが嵌合して構成されるケースであって、前記第１殻と前記第２殻とが嵌合して前記第１ホールと前記第２ホールとが連なり、装着具を通す貫通孔を形成する。
【発明の効果】
【０００９】
本発明によれば、ケースについて、対象物に取り付けた状態で容易に殻の嵌合が解除されず、かつ対象物から取り外した状態では容易に殻の嵌合を解除可能となる。
【図面の簡単な説明】
【００１０】
【図１】第１の実施形態におけるケースを示す斜視図である。
【図２】ケースの第１殻を示す図である。
【図３】ケースの第２殻を示す図である。
【図４】第１殻と第２殻との嵌合を説明する図である。
【図５】ベルトが通されたケースを示す断面図である。
【図６】牛の首にベルトが通され、首の側面に係止された状態を示す図である。
【図７】第２の実施形態におけるケースを示す正面図である。
【図８】第３の実施形態におけるケースを示す正面図である。
【図９】第４の実施形態におけるケースを示す断面図である。
【図１０】第５の実施形態におけるケースを示す断面図である。
【図１１】第６の実施形態におけるケースの第１殻と第２殻とを示す右側面図である。
【図１２】第１殻と第２殻とが正しく嵌合された状態を示す右側面図である。
【図１３】第１殻と第２殻とが正しく嵌合されていない状態を示す右側面図である。
【図１４】第７の実施形態におけるケースを示す断面図である。
【発明を実施するための形態】
【００１１】
以降、本発明を実施するための形態を、各図を参照して詳細に説明する。
本実施形態のケースは、このケースを使用する際に必ず併せて使用するベルトを、このケースの嵌合部の閂として用いている。これによりケースを構成する２つの殻は、対象物に取り付けた状態では容易に嵌合が解除されず、かつ対象物から取り外した状態では容易に嵌合を解除可能となる。
なお便宜上、各図にはＸＹＺの座標軸を書き込んで、このＸＹＺ軸に基づいて各部の配置や動きについて説明している。
【００１２】
図１は、第１の実施形態におけるベルト付きのケースを示す斜視図である。
図１に示すように、ケース１は、和菓子のモナカの皮や二枚貝の貝殻のような中空構造であり、殻２と殻３とが嵌合して構成されている。ケース１の外形は略直方体であり、稜線および頂点が丸く形成されている。ケース１は、横方向がもっとも長く、高さ方向が最も短く、その内部に直方体の中空部を有する。
これら殻２と殻３とは、例えば樹脂のように所定の弾性と剛性とを有する材質で構成される。
【００１３】
ケース１の内部に形成された中空部には、家畜の行動を監視するための不図示の電子機器と、この電子機器を駆動するための電池とが格納されている。電子機器は、例えば家畜の位置を計測するＧＰＳ（Global Positioning System）装置や、家畜の動作を検知する加速度センサや角加速度センサなどを備えている。
【００１４】
ケース１は、ゴム製のＯリング８（後記する図５参照）によって中空部の防水を保つので、ケース１に電子機器や電池などを格納することができる。図１において殻２は図１の手前側に位置しており、殻３は図１の奧側に位置している。
【００１５】
殻２の中空部を挟んだ長手方向の両端には、上下方向に貫通するホール２２とホール２４が形成されている。これらホール２２，２４には、ベルト４が貫通している。殻２の外部中央には、突起２９が形成されている。この突起２９が、複数のベルト穴４４ａ〜４４ｅのうち何れかに嵌合することにより、ケース１はベルト４上の所定位置に係止される。ホール２２とホール２４とは、ケース１の中空部を挟んで対向する２箇所に形成されている。
【００１６】
ベルト４の一端には、バックル４１、ベルト通し４３が取り付けられており、バックル４１とベルト通し４３との間にはリング４２が通されている。ベルト４の他端は、斜めに切断され、５個のベルト穴４４ａ〜４４ｅが所定間隔で穿たれている。
【００１７】
最初、ベルト４の他端は、ケース１の下面からホール２４に通され、更にケース１の上面からホール２２に通され、ベルト穴４４ｄが突起２９に嵌合される。更にベルト４には、バラスト７（後記する図６参照）が通されて固定される。この状態でベルト４は、家畜の首に巻かれる。ベルト４の他端がバックル４１に通され、ベルト穴４４ａ〜４４ｅのうち何れかがバックル４１に掛けられ、ベルト４の他端がベルト通し４３に通される。これによりベルト４とケース１とは、家畜に装着される。すなわち、ベルト４は、このケース１を家畜等に装着する装着具として機能する。なお、ケース１を家畜等に装着するのはベルト４に限定されず、帯状または紐状の装着具であればよく、限定されない。
以下、図２から図５を参照して、図１のケース１の各部構造について説明する。
【００１８】
図２は、ケース１の殻２を示す図である。
殻２は、＋Ｙ側の面（上面）の中央に突起２９が形成されている。殻２は、−Ｙ側面（下面）の−Ｘ端（左端）には、−Ｙ方向（下方向）にフック２１が形成され、＋Ｘ端（右端）にも−Ｙ方向（下方向）にフック２３が形成されている。フック２１，２３は、それぞれケース１の外側に張り出した爪部を備えている。フック２１の根元には、このフック２１に隣接したホール２２が±Ｙ方向（上下方向）に殻２を貫通している。フック２３の根元には、このフック２３に隣接したホール２４が±Ｙ方向（上下方向）に殻２を貫通している。つまり、殻２（第１殻）の左端には、フック２１と、このフック２１の根元に隣接したホール２２（第１ホール）が形成されている。殻２（第１殻）の右端には、フック２３と、このフック２３の根元に隣接したホール２４（第１ホール）が形成されている。
【００１９】
殻２（第１殻）は、−Ｙ側面（下面）に防水壁２６が形成されている。この防水壁２６が殻３の防水壁３６（図３参照）との間にＯリング８（図５参照）を挟むことで、ケース１内部に防水性の中空部が形成される。
【００２０】
図３は、ケース１の殻３を示す図である。
ケース１の殻３（第２殻）は、−Ｘ端（左端）に殻３を貫通するホール３２（第２ホール）が形成されており、＋Ｘ端（右端）にも殻３を貫通するホール３４（第２ホール）が形成されている。
ホール３２の内側には、図２のフック２１と係合するフック受け部３１が形成されている。ホール３４の内側には、図２のフック２３と係合するフック受け部３３が形成されている。
【００２１】
このホール３２は、殻３と殻２とが嵌合している状態でホール２２（第１ホール）に連なって、図１のベルト４が通せるようになっている。つまり、ホール２２，３２は、ベルト４を通す貫通孔を形成する。
【００２２】
同様にホール３４は、殻３が殻２と嵌合している状態でホール２４（第１ホール）に連なって、図１のベルト４が通せるようになっている。つまり、ホール２４，３４は、ベルト４を通す貫通孔を形成する。
殻３（第２殻）は、防水壁３６が形成されている。この防水壁３６にＯリング８（図５参照）が嵌められて、更に殻２（第１殻）の防水壁２６（図２参照）が嵌まることにより、その内部に防水性の中空部が形成される。
【００２３】
図４は、殻２と殻３との嵌合を説明する図である。
ケース１は、殻２と殻３との嵌合により形成され、その内部に防水性の中空部が形成される。
フック２１は、ホール３２に差し込まれてフック受け部３１に係合する。フック２３も、ホール３４に差し込まれてフック受け部３３に係合する。これにより殻２を殻３に嵌合することができる。
【００２４】
フック２１，２３を除く殻２と、フック受け部３１，３３を除く殻３とは、嵌合面に対して対称である。これによりケース１、上下方向や左右方向の外力が加わった場合でも壊れにくくなり、よって中空部の防水性を保つことができる。
【００２５】
図５は、ベルト４が通されたケース１を示す断面図である。
ケース１は、殻３が殻２と嵌合して構成され、更にベルト４が通されて、牛５（図６参照）などの被装着物に装着される。牛５などの被装着物は、ケース１の−Ｙ側（下側）に接する。これによりケース１内部の電子機器は、牛５などの活動を加速度センサや角加速度センサによってセンシングすることができる。
突起２９はベルト穴４４ｄに嵌合しており、ケース１はベルト４上の所定位置に係止される。
フック２１は、殻３と殻２とが嵌合した状態でこの殻３の側に突き出しており、ホール２２，３２からなる貫通孔の周囲の一部を構成する。
【００２６】
殻３が殻２と嵌合している状態で、ホール３２はホール２２に連なっている。これらホール３２，２２は、ベルト４を通す貫通孔を形成する。フック受け部３１は、ホール３２の内側でフック２１と係合している。フック２１の爪はホール３２の外側に突出しているが、ベルト４がホール２２，３２に通された状態において、ベルト４は、その厚みによってフック２１が外れないように規制している。
【００２７】
殻３が殻２と嵌合している状態で、ホール３４はホール２４に連なっている。これらホール３４，２４は、ベルト４を通す貫通孔を形成する。フック受け部３３は、ホール３４の内側でフック２３と係合している。フック２３の爪はホール３４の外側に突出しているが、ベルト４がホール２４，３４に通された状態において、ベルト４は、その厚みによってフック２３が外れないように規制している。つまりベルト４は、ケース１を牛５の首に装着すると共に、その厚みによってフック２１，２３が解除しないように規制する閂として機能する。
【００２８】
更にベルト４には±Ｘ方向（左右方向）の張力が掛かり、フック２１，２３をケース１の外側方向に付勢する。これにより、フック２１は更に、フック受け部３１から外れないように付勢される。フック２３も、フック受け部３３から外れないように付勢される。これにより、ベルト４の厚みが不充分な場合や、ベルト４が伸張して薄くなった場合であっても、ケース１は、その嵌合状態を維持することができる。
【００２９】
殻３が殻２と嵌合している状態では、殻３の防水壁３６にＯリング８が嵌められている。これに殻２（第１殻）の防水壁２６が嵌まることにより、防水壁３６と防水壁２６との間隙がシールされて、内部に防水性の中空部が形成される。これにより、ケース１の内部に設置された電子機器に水が掛かることを防ぐことができる。
【００３０】
このベルト４が外された場合、ホール３２の外側に突出しているフック２１の爪と、ホール３４の外側に突出しているフック２３の爪とが現れる。フック２１爪をケース１の内側方向に押すことにより、このフック２１を容易にフック受け部３１から外すことができる。同様にフック２３の爪をケース１の内側方向に押すことにより、このフック２３を容易にフック受け部３３から外すことができる。
【００３１】
図６は、牛５の首にベルト４が通され、首の側面にケース１が装着された状態を示す図である。
ケース１は、その両端にベルト４が通されている。そのベルト４が牛５の首に通されることにより、ケース１は牛５の首の側面に装着される。
【００３２】
ベルト４には更に、バラスト７が付けられている。このバラスト７の重みにより、ケース１は、常に牛５の首の側面が装着位置となる。更にバラスト７の重みにより、ベルト４には所定の張力が発生する。ベルト４の張力は、図５に示したフック２１，２３を外側方向、つまりフック受け部３１，３３から外れないように付勢する。これにより、ベルト４の厚みがフック２１，２３の規制に充分でない場合であっても、ベルト４の張力によってフック２１，２３を付勢することができる。
【００３３】
第１の実施形態のケース１は、ネジ止めに依らずに２つの殻を係止するので、構成部品が最小限となる。これによりベルト４およびケース１と電子機器の作成コストが低下し、ロバスト性が向上し、使用者の操作工数が減少する。
更にケース１の構造がシンプルになるため、形状の自由度が向上する。これによりケース１を生体（牛などの家畜）にフィットさせやすく、汚れが付着しにくい形状にすることができる。
【００３４】
第１の実施形態のケース１は、ベルト４により嵌合構造部分が覆われて露出しにくくなる。これにより汚れが侵入するスキマが減少し、固着等が発生しにくくなる。
またベルト４を外すことで、容易にその汚れを落とすことができる。
【００３５】
《第２の実施形態》
第１殻と第２殻の嵌合構造部分は二箇所に限られない。第２の実施形態は、第１殻と第２殻の嵌合構造部分を一箇所とするものである。
【００３６】
図７は、第２の実施形態におけるケース１Ａを示す正面図である。
ケース１Ａは、殻２Ａと殻３Ａとが嵌合されて構成される。殻２Ａは、−Ｘ端（左端）ホール２２とフック２１とが形成されている。殻３Ａは、−Ｘ端（左端）にホール３２とフック受け部３１とが形成されている。このフック２１およびフック受け部３１は、殻３Ａと殻２Ａとが嵌合している状態でホール２２，３２の内側に配置されるようにしている。これによりケース１Ａは、このケース１Ａのホール２２，３２に図１のベルト４が貫通している限り、殻３Ａと殻２Ａとの嵌合を維持することができる。更にケース１Ａからベルト４を抜き、フック２１の爪をケース１Ａの内側に押し込むことにより、殻３Ａと殻２Ａとの嵌合を解除することができる。
【００３７】
殻２Ａおよび殻３Ａの＋Ｘ端（右端）の端部には、ヒンジ１１が形成されている。殻２Ａのヒンジ１１よりも−Ｘ側（内側）には、殻２を貫通するホール２５が形成されている。殻３Ａのヒンジ１１よりも−Ｘ側（内側）には、殻３を貫通するホール３８が形成されている。殻３Ａが殻２Ａと嵌合している状態で、ホール２５はホール３８と連なって、図１のベルト４が通せるようになっている。これによりケース１Ａの中空部を挟んで対向する２箇所にベルト４を通すための貫通孔が形成されるので、ケース１Ａを対象物に確実に装着させることができる。
【００３８】
《第３の実施形態》
第３の実施形態は、第１殻と第２殻の左右に、フックとフック受け部を互い違いに設けるというものである。
図８は、第３の実施形態におけるケース１Ｂを示す正面図である。
ケース１Ｂは、殻２Ｂの−Ｘ端（左端）にホール２２とフック２１を形成し、＋Ｘ側（右側）にホール２５を形成している。更にケース１Ｂは、殻３Ｂのホール３２の内側にフック受け部３１を形成し、＋Ｘ端（右端）にフック３７を形成している。ホール２５の内側に形成されたフック受け部２７は、フック３７と係合する。ホール３２の内側に形成されたフック受け部３１は、フック２１と係合する。このように、殻２Ｂと殻３Ｂに、互い違いにフックとフック受け部とを形成してもよい。
【００３９】
これにより、ケース１Ｂは、ベルト４をどのような方向で通したとしても、いずれか一方のホール内のフックは、ベルト４の張力によって嵌合を維持する方向に付勢される。また、殻２Ｂと殻３Ｂとを同一の金型で製造することも可能となる。
【００４０】
《第４の実施形態》
第４の実施形態は、ケース両端の斜め方向に貫通孔を形成することで、ユーザに対してベルトを通す向きを明示するというものである。
図９は、第４の実施形態におけるケースを示す断面図である。
ケース１Ｃは、殻２Ｃにホール２２，２４とフック２１，２３を形成し、殻３Ｃのホール３２にフック受け部３１を形成し、ホール３４にフック受け部３３を形成している。
【００４１】
ホール２２，２４は、−Ｙ方向（下）に行くほど、つまり殻３Ｃに近づくほどホール２２，２４間の距離が離間するように傾斜している。ホール３２，３４も、−Ｙ方向（下）に行くほど、つまり殻２Ｃから離れるほどホール３２，３４間の距離が離間するように傾斜している。つまり、ベルト４が通されるホール２２，３２（貫通孔）と、ホール２４，３４（貫通孔）とは、−Ｙ方向（下方向）に行くにつれて離間するように傾斜している。
【００４２】
これによりユーザは、ホール２２，３２とホール２４，３４に、どのようにベルト４を通せばよいかを取り違えることがなくなる。よってケース１Ｃのフック２１，２３は、ベルト４の張力によって嵌合を維持する方向に付勢される。
【００４３】
《第５の実施形態》
第５の実施形態は、第１殻と第２殻とを嵌合したのち、第１殻と一体化された部分をケースのホールに押し込んで閂として用いるというものである。
図１０は、第５の実施形態におけるケースを示す断面図である。
ケース１Ｄは、殻３Ｄと殻２Ｄとが嵌合されて形成される。閂６Ｌ，６Ｒは、柔軟性のある材質で形成されており、かつ殻２Ｄの上部に接着されて殻２Ｄと一体化されている。
【００４４】
殻３Ｄが殻２Ｄと嵌合している状態で、ホール３２はホール２２に繋がり、閂６Ｌが通されている。フック受け部３１は、ホール３２の内側でフック２１と係合している。
更にホール３４はホール２４に繋がり、閂６Ｒが通されている。フック受け部３３は、ホール３２の内側でフック２３と係合している。
【００４５】
閂６Ｌの端には、穴６１Ｌが穿たれている。閂６Ｒの端には、穴６１Ｒが穿たれている。これら穴６１Ｌ，６１Ｒにベルト４が通されることで、ケース１Ｄはベルト４に係止される。このように、ベルト４を直接に通すことなく、閂６Ｌ，６Ｒを介して間接的にケース１Ｄをベルト４に係止してもよい。また、閂部分を第１殻と一体化させているので、部品数を減らして管理の手間を省くことができる。
【００４６】
《第６の実施形態》
第６の実施形態は、第１殻と第２殻の嵌合状態を明示的に示すというものである。
図１１は、第６の実施形態におけるケースの第１殻と第２殻とを示す右側面図である。
殻２Ｅの右側面には、フック２３と、このフック２３の根元に隣接したホール２４が形成されている。更にフック２３の側面には、嵌合状態を示す緑マーカ２３１と赤マーカ２３２が貼られている。
【００４７】
殻３Ｅの右側面には、嵌合状態を視認するための窓部３３１と、殻３Ｅを±Ｙ方向（上下方向）に貫通するホール３２が形成されている。窓部３３１は透明であり、窓部３３１を除く殻３Ｅは不透明である。
【００４８】
図１２は、殻２Ｅと殻３Ｅとが正しく嵌合された状態を示す右側面図である。
ケース１Ｅは、殻２Ｅと殻３Ｅとが嵌合されて構成される。殻２Ｅと殻３Ｅとが正しく嵌合された状態において、窓部３３１からは、緑マーカ２３１のみが見えている。これによりユーザは、ケース１Ｅの嵌合状態が正しいことを容易に視認可能である。
【００４９】
図１３は、殻２Ｅと殻３Ｅとが正しく嵌合されていない状態を示す右側面図である。
殻２Ｅと殻３Ｅとは正しく嵌合されておらず、隙間Ｓが発生している。殻２Ｅと殻３Ｅとが正しく嵌合されていない状態において、窓部３３１からは、緑マーカ２３１に加えて赤マーカ２３２も見えている。これによりユーザは、ケース１Ｅの嵌合状態が正しくないことを容易に視認可能である。
【００５０】
《第７の実施形態》
第７の実施形態は、第１殻に代わって第２殻にフックを設け、このフックの爪を内向きとすると共に、第１殻のフック受け部を、ホールの中空部側に設けている。
図１４は、第７の実施形態におけるケースを示す断面図である。
ケース１Ｆは、殻３Ｆが殻２Ｆと嵌合して構成される。殻３Ｆは、フック３５、および、フック３５の根元に隣接したホール３２（第１ホール）が形成されている第１殻である。フック３５の爪は、ケース１Ｆの内側に向けて張り出している。殻３Ｆは、フック３９、および、フック３９の根元に隣接したホール３４（第１ホール）が形成されている。フック３９の爪は、ケース１Ｆの内側に向けて張り出している。
殻２Ｆは、ホール２２，２４が形成されている。ホール２２の内側には、フック受け部２８が形成されている。ホール２４の内側には、フック受け部２０が形成されている。
【００５１】
殻３Ｆが殻２Ｆと嵌合している状態で、ホール３２はホール２２に連なっている。これらホール３２，２２は、ベルト４を通す貫通孔を形成する。フック受け部２８は、ホール２２の内側でフック３５と係合している。フック３５の爪は、ホール２２の外側に突出している。フック３９の爪は、ホール２４の外側に突出している。
【００５２】
更にホール３４はホール２４に連なっている。これらホール３４，２４は、ベルト４を通す貫通孔を形成する。フック受け部２０は、ホール２４の内側でフック３９と係合している。ベルト４は、ケース１を牛の首に装着すると共に、フック３５，３９の解除を規制する装着具として機能する。
【００５３】
ベルト４には±Ｘ方向（左右方向）の張力が掛かり、フック３５，３９を内側に付勢する。これにより、フック３５はフック受け部２８から外れないように規制され、フック３９はフック受け部２０から外れないように規制される。更にベルト４が嵌合部を覆うことで、フック３５，３９に外力が働かなくなり、よって外れにくくなる。
【００５４】
殻３Ｆが殻２Ｆと嵌合している状態で、防水壁２６と防水壁３６との間にＯリング８が挟まれており、これによりケース１の中空部の防水性が保たれ、ここに設置された電子機器に水が掛かることを防ぐことができる。
【００５５】
このベルト４が外されると、フック３５，３９の爪は、ホール２２，２４の外側に露呈する。よって、フック３５の爪をケース１の外側に引っ張ることにより、このフック３５を容易にフック受け部２８から外すことができる。同様にフック３９の爪をケース１の外側に引っ張ることにより、このフック３９を容易にフック受け部２０から外すことができる。
【００５６】
（変形例）
本発明は、上記実施形態に限定されることなく、本発明の趣旨を逸脱しない範囲で、変更実施が可能であり、例えば、次の（ａ）〜（ｆ）のようなものがある。
【００５７】
（ａ）  ケースを装着する対象物は、牛などの家畜に限定されない。子供や老人や成人などの人間であってもよく、自転車やオートバイや自動車、鉄道車両などの移動体であってもよく、建築物などの固定物であってもよい。
（ｂ）  フックとフック受け部とが内側に形成されたホールの数は、１個または２個に限定されない。
（ｃ）  ケースを対象物に装着する手段は、ベルトに限定されない。例えばロープなどでケースが対象物に装着されてもよい。
（ｄ）  第１殻と第２殻とが正しく嵌合された状態であることを示す方法は、マーカと窓部の組合せに限定されない。例えばフックがフック受け部を乗り越えた際に音叉にぶつかり、この音叉が音を発するように構成されていてもよい。
（ｅ）  フックの爪の向きは、ケースの外向きと内向きに限定されない。ケースの周方向であってもよく、任意の向きであってもよい。また、ケースの外向きの爪をケースの一端に設け、ケースの内向きの爪をケースの他端に設けてもよい。
（ｆ）  ベルトを通すホールは、ケースの中空部を挟んで対向する２箇所に限られず、４箇所、６箇所、または８箇所に形成されてもよい。
【符号の説明】
【００５８】
１，１Ａ，１Ｂ，１Ｃ，１Ｄ，１Ｅ，１Ｆ  ケース
１１  ヒンジ
２，２Ａ，２Ｂ，２Ｃ，２Ｄ，２Ｅ  殻  （第１殻）
２Ｆ  殻  （第２殻）
２１，２３  フック
２３１  緑マーカ
２３２  赤マーカ
２２，２４  ホール  （第１ホール）
２５  ホール  （第２ホール）
２６  防水壁
２７，２８，２０  フック受け部
２９  突起
３，３Ａ，３Ｂ，３Ｃ，３Ｄ，３Ｅ  殻  （第２殻）
３Ｆ  殻  （第１殻）
３１，３３  フック受け部
３２，３４  ホール  （第２ホール）
３８  ホール
３３１  窓部
３６  防水壁
３５，３７，３９  フック
４  ベルト  （係止具）
４１  バックル
４２  リング
４３  ベルト通し
４４ａ〜４４ｅ  ベルト穴
５  牛  （対象物）
６Ｌ，６Ｒ  閂
７  バラスト
８  Ｏリング
【図１】
2020118499.tif 000003
【図２】
2020118499.tif 000004
【図３】
2020118499.tif 000005
【図４】
2020118499.tif 000006
【図５】
2020118499.tif 000007
【図６】
2020118499.tif 000008
【図７】
2020118499.tif 000009
【図８】
2020118499.tif 000010
【図９】
2020118499.tif 000011
【図１０】
2020118499.tif 000012
【図１１】
2020118499.tif 000013
【図１２】
2020118499.tif 000014
【図１３】
2020118499.tif 000015
【図１４】
2020118499.tif 000016